(57)【要約】【課題】踏切保安装置の入射部又は出射部に対する雪の付着を抑止する。【解決手段】踏切保安装置１は本体１１の前面に防雪フード１２を有する。防雪フード１２は、本体１１の前面に配置され、入射する電磁波を受波する入射部１１１ａ及び入射部１１１ｂの上方を覆う上面板１２１を有する。また、防雪フード１２は、前方側に前面板１２３を有する。前面板１２３は２つの開口部を有し、上側の開口部は前面板１２３の上辺側に抜けた形状となっている。上面板１２１の下面側には、前方からいずれかの開口部を通って防雪フード１２内へと流れ込む風の流れを変える風向板１２５が設けられている。この風と共に、防雪フード１２内へと侵入した雪は下方へ向かい、入射部１１１ａ又は入射部１１１ｂに付着することなく防雪フード１２の外部に出る。【選択図】図１
2020001556.tif 000002
【特許請求の範囲】
【請求項１】
電磁波を入射する入射部又は電磁波を出射する出射部の前側上方を覆う上面板の下面側に、前記入射部又は前記出射部に向かう風の流れを変える風向板を有する防雪フードを備える踏切保安装置。
【請求項２】
前記防雪フードは、前記上面板の下側の、前記風向板を挟んで前記入射部又は前記出射部と対向する位置に、前記入射部に入射される電磁波又は前記出射部から出射される電磁波を通過させる開口部であって、上辺側が塞がれていない形状の開口部が設けられた前面板を有する
請求項１に記載の踏切保安装置。
【請求項３】
前記入射部又は前記出射部より下方に配置された入射部又は出射部を有し、
前記前面板は、前記開口部に加え、前記下方に配置された入射部に入射される電磁波又は前記下方に配置された出射部から出射される電磁波を通過させる開口部を有する
請求項２に記載の踏切保安装置。
【発明の詳細な説明】
【技術分野】
【０００１】
本発明は、踏切保安装置に関する。
【背景技術】
【０００２】
踏切保安装置として広く用いられている踏切障害物検知装置は、光等の電磁波を入射する入射部及び電磁波を出射する出射部の少なくとも一方を有し、出射部を有する踏切障害物検知装置から出射された電磁波を、入射部を有する踏切障害物検知装置が入射できるか否かによって、それらの踏切障害物検知装置の間に障害物が有るか否かを判定する。
【０００３】
大雪時、踏切障害物検知装置の入射部又は出射部に雪が付着し、電磁波の透過が妨げられ、障害物の検知が不能となる場合がある。踏切障害物検知装置の入射部又は出射部に対する雪の付着を抑止する技術を開示する特許文献として、例えば特許文献１がある。特許文献１には、入射部又は出射部の前側に配置された防雪フードを有する踏切障害物検知装置が記載されている。
【先行技術文献】
【特許文献】
【０００４】
【特許文献１】実開平２−６５６７０号公報
【発明の概要】
【発明が解決しようとする課題】
【０００５】
防雪フードには、電磁波を通過させるために、前面に開口部を設ける必要がある。その開口部から防雪フード内に雪が入り、入射部又は出射部に雪が付着する場合がある。
【０００６】
上述した背景に鑑み、本発明は、踏切保安装置の入射部又は出射部に対する雪の付着を抑止する手段を提供する。
【課題を解決するための手段】
【０００７】
上述した課題を解決するために、本発明は、電磁波を入射する入射部又は電磁波を出射する出射部の前側上方を覆う上面板の下面側に、前記入射部又は前記出射部に向かう風の流れを変える風向板を有する防雪フードを備える踏切保安装置を第１の態様として提供する。
【０００８】
第１の態様の踏切保安装置によれば、踏切保安装置の入射部又は出射部に対する雪の付着が抑止される。
【０００９】
第１の態様の踏切保安装置において、前記防雪フードは、前記上面板の下側の、前記風向板を挟んで前記入射部又は前記出射部と対向する位置に、前記入射部に入射される電磁波又は前記出射部から出射される電磁波を通過させる開口部であって、上辺側が塞がれていない形状の開口部が設けられた前面板を有する、という構成が第２の態様として採用されてもよい。
【００１０】
第２の態様の踏切保安装置によれば、前面板の上方部における雪の付着が抑止される。
【００１１】
第２の態様の踏切保安装置において、前記入射部又は前記出射部より下方に配置された入射部又は出射部を有し、前記前面板は、前記開口部に加え、前記下方に配置された入射部に入射される電磁波又は前記下方に配置された出射部から出射される電磁波を通過させ
る開口部を有する、という構成が第３の態様として採用されてもよい。
【００１２】
第３の態様の踏切保安装置によれば、複数の入射部又は出射部を有する場合であっても、それら複数の入射部又は出射部の各々に対する雪の付着が抑止される。
【図面の簡単な説明】
【００１３】
【図１】一実施形態に係る踏切保安装置の側面図と断面図。
【図２】一実施形態に係る踏切保安装置の正面図と斜視図。
【図３】比較例に係る踏切保安装置の構成を示した図。
【発明を実施するための形態】
【００１４】
［実施形態］
以下に本発明の一実施形態に係る踏切保安装置１を説明する。図１及び図２は踏切保安装置１の構成を示した図である。図１（Ａ）は踏切保安装置１の側面図であり、図１（Ｂ）は踏切保安装置１の前後方向に延伸する鉛直面で切断した踏切保安装置１を側方から見た断面図である。また、図２（Ａ）は踏切保安装置１の正面図であり、図２（Ｂ）は踏切保安装置１を斜め上から見た図であり、図２（Ｃ）は防雪フード１２を取り外した踏切保安装置１の正面図である。
【００１５】
踏切保安装置１は、本体１１と、本体１１の前方に配置された防雪フード１２を備える。
【００１６】
本体１１は、２個の入射部、すなわち、入射部１１１ａと入射部１１１ｂを有する。入射部１１１ａと入射部１１１ｂは、出射部を有する別の踏切保安装置から出射される電磁波を受波し、電気信号に変換する。なお、入射部１１１ａと入射部１１１ｂが受波する電磁波の種別は、物体の検知が可能な限り、赤外線、レーザー光、マイクロ波、ミリ波、可視光等のいずれであってもよい。出射部を有する踏切保安装置は、入射部１１１ａと入射部１１１ｂの代わりに電磁波を出射する２個の出射部を有する点を除き、踏切保安装置１と同様の構成である。なお、踏切保安装置１が、入射部１１１ａと入射部１１１ｂのいずれか一方の代わりに、出射部を備える構成が採用されてもよい。
【００１７】
踏切保安装置１と、出射部を有する踏切保安装置は、踏切の対象エリアを平面視した場合の、例えば対角線上に互いに入射部と出射部が対向する方向で配置される。
【００１８】
入射部１１１ａの前側にはレンズ１１２ａが配置されており、入射部１１１ｂの前側にはレンズ１１２ｂが配置されている。レンズ１１２ａ及びレンズ１１２ｂは、入射される電磁波を集め、入射部１１１ａ又は入射部１１１ｂへと導く。なお、入射部１１１ａ及び入射部１１１ｂの代わりに出射部を有する踏切保安装置は、出射部から出射される電磁波がレンズ１１２ａ又はレンズ１１２ｂにより拡散される。
【００１９】
レンズ１１２ａ及びレンズ１１２ｂの前側には、樹脂ケース１１３が設けられている。樹脂ケース１１３の内部には、透明なヒータガラス１１４が設けられている。ヒータガラス１１４の表面には、通電により発熱する透明導通膜が形成されている。樹脂ケース１１３内のヒータガラス１１４の前側には、ヒータガラス１１４の周辺部を密閉するためのパッキン１１５が設けられている。パッキン１１５の前面には押さえ板１１６が設けられ、押さえ板１１６の後方に設けられた部材が固定される。樹脂ケース１１３、パッキン１１５及び押さえ板１１６には、レンズ１１２ａ及びレンズ１１２ｂの位置に対応する位置に開口部が設けられている。この開口部については後述する。
【００２０】
押さえ板１１６の前側には、防雪フード１２が取り付けられている。防雪フード１２は
、本体１１の前面の上側を覆う上面板１２１と、左右方向を覆う側面板１２２と、前側を覆う前面板１２３を有する。防雪フード１２は、下面側を覆う板部材等は有さず、下方に抜けた構成となっている。
【００２１】
上面板１２１の上側には、屋根１２４が設けられている。屋根１２４は、両側の側面板１２２方向に向かい下降する斜面を有している。これらの斜面を有することにより、屋根１２４の上に降り落ちた雪は、側面板１２２に向かい滑り、地面へと落ちやすくなる。
【００２２】
前面板１２３は、上面板１２１の先端から後方に向かい下降するように傾斜している。前面板１２３には開口部１２３ａと開口部１２３ｂが上下方向に並べて設けられている。開口部１２３ａは、レンズ１１２ａに対応する位置に設けられており、前方から入射する電磁波は、開口部１２３ａを通過してレンズ１１２ａに達し、入射部１１１ａに入射される。同様に、開口部１２３ｂは、レンズ１１２ｂに対応する位置に設けられており、開口部１２３ｂを通過した電磁波は、レンズ１１２ｂに達し、入射部１１１ｂに入射される。
【００２３】
開口部１２３ｂは、前方から見てほぼ円形の形状である。開口部１２３ａは、下側は円弧形状であるが、上側は前面板１２３の上辺方向に抜けた形状となっている。すなわち、前面板１２３は、上辺側が塞がれていない。
【００２４】
上面板１２１の下面側には、風向板１２５が下方へ突出するように設けられている。風向板１２５は、上面板１２１の前面板１２３の上辺側に近い位置に設けられ、上面板１２１の下面に対して後方に向かい下降するように傾斜している。
【００２５】
風向板１２５は、前方から見て開口部１２３ａの上側を遮るが、開口部１２３ａから入射してレンズ１１２ａに達する電磁波を遮らないように、その大きさが調整されている。また、風向板１２５は左右方向に関し、両側の側面板１２２に接する位置まで延在している。
【００２６】
踏切保安装置１の前面側の押さえ板１１６には、開口部１１６ａと開口部１１６ｂが設けられている。開口部１１６ａはレンズ１１２ａに対応する位置に設けられており、開口部１１６ｂはレンズ１１２ｂに対応する位置に設けられている。開口部１１６ａと開口部１１６ｂにより、樹脂ケース１１３内のヒータガラス１１４の表面は外界に露出している。ヒータガラス面１１４ａ及びヒータガラス面１１４ｂには、前面板１２３の開口部１２３ａ及び開口部１２３ｂを通過した電磁波が入射する。以下、ヒータガラス面１１４ａ及びヒータガラス面１１４ｂを「入射面」と呼ぶ。
【００２７】
なお、入射部１１１ａ及び入射部１１１ｂの代わりに２個の出射部を備える踏切保安装置においては、ヒータガラス面１１４ａ及びヒータガラス面１１４ｂから出射された電磁波が、前面板１２３の開口部１２３ａ及び開口部１２３ｂを通過して外部へ出射される。この場合は、ヒータガラス面１１４ａ及びヒータガラス面１１４ｂを「出射面」と呼ぶ。
【００２８】
なお、本願において、入射面に対する雪の付着は、入射部に対する雪の付着と同義である。また、出射面に対する雪の付着は、入射部に対する雪の付着と同義である。
【００２９】
押さえ板１１６の開口部１１６ａ及び開口部１１６ｂのない部分の前面１１６ｃは、押さえ板１１６に厚みがあるので、ヒータガラス面１１４ａ及びヒータガラス面１１４ｂよりも前面側にある。従って、ヒータガラス面１１４ａ及びヒータガラス面１１４ｂの各々の辺においては、押さえ板１１６の前面１１６ｃとの間に段差がある。これらの段差の部分に前方から降り込んだ雪が付着しやすい。従って、要求される強度が確保される範囲内で押さえ板１１６の厚さを薄くして、段差を小さくすることが好ましい。
【００３０】
図１（Ｂ）を用いて、防雪フード１２内に吹き込む風の流れを説明する。防雪フード１２に設けられている前面板１２３は、防雪フード１２内への雪の侵入を抑止する。しかしながら、大雪時に前方から後方に向かい強い風が吹いた場合、開口部１２３ａ及び開口部１２３ｂから防雪フード１２内に雪が侵入する。
【００３１】
前方からの風による気流Ａは、前面板１２３の上部の開口部１２３ａから防雪フード１２内へと流れ込む。気流Ｂは、前面板１２３の下部の開口部１２３ｂから防雪フード１２内へと流れ込む。気流Ｃは、前面板１２３の開口部１２３ａと開口部１２３ｂとの間の部分に流れ込むので、前面板１２３によって風向を下方に変えられ、防雪フード１２内へは流れ込まない。
【００３２】
開口部１２３ａから防雪フード１２内へと流れ込んだ気流Ａのうち、開口部１２３ａの上側から流れ込んだ気流は、風向板１２５にぶつかる。そして、防雪フード１２内を下方へと流れる気流Ｄとなる。このような下方へ流れる気流Ｄが発生することにより、開口部１２３ａ及び開口部１２３ｂから防雪フード１２内へと流れ込む気流Ａ、Ｂの多くは、下方へと向かう。その結果、気流Ａ、Ｂと共に防雪フード１２内へと侵入した雪は下方に向かい、防雪フード１２の外に出る。その結果、ヒータガラス面１１４ａ及びヒータガラス面１１４ｂに到達する雪の量が削減され、入射面（あるいは出射面）に対する雪の付着が抑止される。
【００３３】
なお、防雪フード１２の前後方向（図１においては左右方向）の長さは、長い方が防雪の効果は高まる。すなわち、風向板１２５から入射面あるいは出射面までの長さを長くすることができ、下方へ流れる気流Ｄによる防雪フード１２内での気流が弱い空間を増やすことができる。その結果、入射面あるいは出射面へ到達する雪をさらに削減することができる。従って、設置スペースや取り付け強度等に支障がない範囲で、防雪フード１２長さを長くすることが好ましい。
【００３４】
次に、比較例に係る踏切保安装置１Ｈを説明する。図３は比較例に係る踏切保安装置１Ｈの構成を示す図である。図３（Ａ）は踏切保安装置１Ｈを側方から見た断面図であり、図３（Ｂ）は踏切保安装置１Ｈを斜め上から見た図である。
【００３５】
踏切保安装置１Ｈにおいて、図１及び図２に示した踏切保安装置１の構成部材と同等の機能を有する構成部材には同一の符号が付されている。踏切保安装置１Ｈの押さえ板１１６Ｈは、踏切保安装置１の押さえ板１１６よりも厚さが厚い。
【００３６】
踏切保安装置１Ｈの本体１１Ｈの前面に取り付けられた防雪フード１２Ｈは、本実施形態に係る防雪フード１２とは異なり、前面板１２３、屋根１２４、風向板１２５を有さない。
【００３７】
図３（Ａ）を用いて、防雪フード１２Ｈ内に吹き込む風の流れを説明する。図３（Ａ）に示されるように、前方からの風による気流Ｅは、防雪フード１２Ｈ内へと流れ込む。防雪フード１２Ｈには、本実施形態に係る防雪フード１２のように前面板１２３と風向板１２５が設けられていないため、気流Ｅは流れを変えられることなく防雪フード１２Ｈ内を直進し、ヒータガラス面１１４ａ又はヒータガラス面１１４ｂに到達する。従って、気流Ｅと共に防雪フード１２Ｈ内へ侵入した雪の一部は、入射面（あるいは出射面）に到達し付着する。
【００３８】
また、踏切保安装置１Ｈの押さえ板１１６Ｈは、本実施形態に係る踏切保安装置１の押さえ板１１６よりも厚いので、ヒータガラス面１１４ａ及びヒータガラス面１１４ｂの各
々の辺における押さえ板１１６Ｈの前面１１６Ｈｃとの段差が大きい。従って、この段差部分に雪が付着しやすい。
【００３９】
［変形例］
上述した実施形態は様々に変形することができる。以下のそれらの変形の例を示す。なお、上述した実施形態及び以下に示す変形例は適宜組み合わされてもよい。
【００４０】
（１）上述した実施形態においては、踏切保安装置１は、２個の入射部あるいは２個の出射部を備える構成としたが、これに限定されない。１個の入射部あるいは１個の出射部としてもよい。あるいは、１個の入射部と１個の出射部とを有する構成としてもよい。また、入射部あるいは出射部を３個以上としてもよい。
【００４１】
（２）上述した実施形態においては、入射部あるいは出射部を縦方向に配列する構成としたが、横方向に配列してもよい。
【００４２】
（３）上述した実施形態においては、押さえ板１１６は、２個のレンズ１１２ａ、１１２ｂに対応する位置に、２つの開口部１１６ａ、１１６ｂを設ける構成としたが、開口部の設け方はこれに限定されない。２つの開口部１１６ａ、１１６ｂを仕切っている中央付近の板部分を取り除き、１つの縦長形状の開口部を設ける構成としてもよい。このような構成とすることにより、上部側の入射面あるいは出射面にさらに雪が付着しにくくことができる。
【００４３】
（４）上述の実施形態においては、踏切保安装置として、踏切内の障害物を検知する装置を例にして説明したが、これに限定されず、他の踏切保安装置に適用してもよい。
【符号の説明】
【００４４】
１…踏切保安装置、１１…本体、１２…防雪フード、１１１ａ・１１１ｂ…入射部、１１２ａ・１１２ｂ…レンズ、１１３…樹脂ケース、１１４…ヒータガラス、１１４ａ・１１４ｂ…ヒータガラス面、１１５…パッキン、１１６…押さえ板、１２１…上面板、１２２…側面板、１２３…前面板、１２４…屋根、１２５…風向板。
【図１】
2020001556.tif 000003
【図２】
2020001556.tif 000004
【図３】
2020001556.tif 000005